(57)【特許請求の範囲】
【請求項１】
加熱室と、前記加熱室内にマイクロ波を供給する高周波発生手段と、前記加熱室に熱風を供給する熱風供給手段とを備え、前記加熱室はその上壁部に熱風噴出口を設けるとともに加熱室下部に熱風吸込口を設けて加熱室内の熱風を加熱室の上部から下部に向かって循環させる構成とし、かつ、前記加熱室の下部であって前記熱風吸込口より上方に通気性の被加熱物載置部材を設けるとともにその被加熱物載置部材の下方に輻射加熱ヒータを設け、当該輻射加熱ヒータの下方であって前記加熱室底板との間に非通気性の熱風ガイド板を設けることにより、被加熱物の上面を加熱して被加熱物載置部材を通過した熱風が前記熱風ガイド板に案内されて前記熱風吸込口へと流れる構成とした加熱調理機。
【請求項２】
熱風噴出口は加熱室の上壁前部に設けるとともに熱風吸込口は加熱室の後壁下部に設け、かつ、前記熱風噴出口は熱風を加熱室後方に向けて斜めに噴出するとともに加熱室下部に向けて略垂直下方に噴出する構成として、略垂直下方に向けて噴出した熱風を加熱室前部から熱風ガイド板によって加熱室後壁の熱風吸込口へと案内する請求項１記載の加熱調理器。
【請求項３】
熱風ガイド板の上面は高反射処理を施した請求項１または２記載の加熱調理機。
【請求項４】
熱風ガイド板は断熱性のよい材料で形成した請求項１〜３のいずれか１項記載の加熱調理機。
【請求項５】
加熱室の後壁外方に熱風供給手段を設け、この熱風供給手段からの熱風を加熱室上壁前部の熱風噴出口に案内するダクトを加熱室上壁外方の一側部寄りに設けるとともに高周波発生手段からのマイクロ波を加熱室内に導く導波管を加熱室の上壁略中央部に設けてマイクロ波を加熱室の上壁から放射する構成とした請求項１〜４のいずれか１項記載の加熱調理機。
【請求項６】
ダクトにダクトヒータを設け、熱風供給手段と加熱室を循環する熱風を前記ダクトヒータと輻射加熱ヒータとで高温に加熱する請求項５記載の加熱調理機。
【請求項７】
加熱室は上下巾に対し横幅が大きい断面略長方形状に形成するとともに熱風供給手段は前記加熱室の横方向に少なくとも二つの熱風循環用の送風機を配置して大量の熱風を高速で循環可能にした請求項１〜６のいずれか１項記載の加熱調理機。
【請求項８】
加熱室と熱風供給手段は気密構成として、加熱室と熱風供給手段とを循環する熱風を外部に放出することなく循環させる構成とした請求項１〜７のいずれか１項記載の加熱調理機。
【発明の詳細な説明】
【技術分野】
【０００１】
本発明は熱風を被加熱物に吹き付けて短時間に被加熱物を加熱する加熱調理機に関する。
【背景技術】
【０００２】
一般に被加熱物を短時間に調理するものとしてマイクロ波とともに高速の熱風を被加熱物に直接吹き付けて加熱する加熱調理機が知られている（特許文献１）。
【０００３】
この加熱調理機は、熱風供給手段１０１で生成した熱風を加熱室１０２の上下部に設けた噴流口１０３から高速流にして噴出させ、この高速流の熱風を被調理物に直接吹き付けて加熱するようになっている。そして被調理物を均一に加熱すべく熱風通路１０４をテーパー状にして噴出圧を均一化させると同時に被調理物をターンテーブル１０５に載せて回転させるように構成してある。
【特許文献１】特開平７−１０８２３４号公報
【発明の開示】
【発明が解決しようとする課題】
【０００４】
上記特許文献１に記載された加熱調理機は、被調理物に高温の温風を高速流で吹き付けるから、熱風が持っている熱量を短時間で被調理物に与えることができ、一般的な熱風によるオーブンに比べ極めて短い時間で加熱調理ができる、という利点があり、ファーストフード店等に用いられている。
【０００５】
しかしながら熱風の噴流口１０３を上下二箇所に分けて設けるため構成が複雑になるとともに、噴流口１０３を例えば加熱室１０２の上部のみに設けた場合はこれと対向する被加熱物の上面に比べ下面の加熱状態が悪くなるという課題があり、改善が求められていた。
【０００６】
本発明はこのような従来の課題に鑑みてなしたもので、構成の簡素化を図りつつ被加熱物の下面も効率よく加熱できるようにするものである。
【課題を解決するための手段】
【０００７】
前記課題を解決するため本発明は、加熱室の上部に熱風噴出口を設けて被加熱物の上面に熱風を吹き付ける構成とするとともに、被加熱物載置部材の下方に輻射加熱ヒータを設け、かつ、当該輻射加熱ヒータの下方であって前記加熱室底板との間に非通気性の熱風ガイド板を設けて、被加熱物の上面を加熱してきた熱風が前記熱風ガイド板に案内されて被加熱物の下面に沿って熱風吸込口へと流れる構成としてある。
【０００８】
これによって被加熱物の上面を加熱した後の熱風は、被加熱物と熱風ガイド板との間を熱風吸込口に向かって強制的に流れ、その際輻射加熱ヒータによって再加熱されながら被加熱物の下面を加熱することになり、輻射加熱ヒータからの輻射熱とあいまって被加熱物の下面を効率よく加熱することになる。
【発明の効果】
【０００９】
本発明の加熱調理機は、熱風ガイド板で案内され輻射ヒータで再加熱される熱風と輻射ヒータで被加熱物の下面を加熱するから、被加熱物の上面を加熱して温度低下した熱風であっても被加熱物の下面を効率よく加熱することができ、熱風噴出口を加熱室上部に設けただけの簡単な構成であっても被加熱物上下両面を短時間で加熱することができる。加え
て上記したように熱風噴出口は加熱室の上部だけでよいから構成の簡素化が図れるとともに、熱風ガイド板の遮熱作用によって加熱調理機の底面温度を低く維持できるから、機器設置床面を熱劣化させることなく安心して使用できるものとすることができる。
【発明を実施するための最良の形態】
【００１０】
本発明は、加熱室と、前記加熱室内にマイクロ波を供給する高周波発生手段と、前記加熱室に熱風を供給する熱風供給手段とを備え、前記加熱室はその上壁部に熱風噴出口を設けるとともに加熱室下部に熱風吸込口を設けて加熱室内の熱風を加熱室の上部から下部に向かって循環させる構成とし、かつ、前記加熱室の下部であって前記熱風吸込口より上方に通気性の被加熱物載置部材を設けるとともにその被加熱物載置部材の下方に輻射加熱ヒータを設け、当該輻射加熱ヒータの下方であって前記加熱室底板との間に非通気性の熱風ガイド板を設けることにより、被加熱物の上面を加熱して被加熱物載置部材を通過した熱風が前記熱風ガイド板に案内されて前記熱風吸込口へと流れる構成としてあり、被加熱物の上面を加熱した後の熱風は、被加熱物載置部材を通過して当該被加熱物載置部材と熱風ガイド板との間を強制的に流れ、その際輻射加熱ヒータによって再加熱されながら被加熱物の下面を加熱することになり、熱風噴出口が上部のみの簡単な構成であっても輻射加熱ヒータからの輻射熱とあいまって被加熱物の下面を効率よく加熱でき、加熱時間の短縮が図れるとともに、熱風ガイド板は遮熱作用を発揮するから加熱室の底部、ひいては加熱調理機底面の温度を低く維持でき、機器設置床面を熱劣化させることなく安心して使用できるものとすることができる。
【００１１】
また、第２の発明は、第１の発明において、熱風噴出口は加熱室の上壁前部に設けるとともに熱風吸込口は加熱室の後壁下部に設け、かつ、前記熱風噴出口は熱風を加熱室後方に向けて斜めに噴出するとともに加熱室下部に向けて略垂直下方に噴出する構成として、略垂直下方に向けて噴出する熱風を加熱室前部から熱風ガイド板と被加熱物との間を強制的に流して加熱室後壁の熱風吸込口へと案内する構成としてあり、加熱室の前上部から後下部に向かって斜めに噴出する熱風が被加熱物を密度濃く包み込んで被加熱物上面を均一に加熱するとともに、略垂直下方に噴出する熱風は前記被加熱物を加熱して回り込む加熱室前部からの熱風に比べ被加熱物に熱を奪われることなく被加熱物下面と熱風ガイド板との間を流れて被加熱物の下面を加熱することになり、被加熱物の下面を確実に熱風加熱して被加熱物上下両面を短時間でかつ均一に加熱することが可能となる。
【００１２】
さらに第３の発明は、第１，２の発明において、熱風ガイド板の上面は高反射処理を施した構成としてあり、輻射加熱ヒータの輻射熱を効率よく被加熱物に利用することが可能となり、更に加熱の短時間化が可能となる。
【００１３】
また、第４の発明は第１〜第３の発明において、熱風ガイド板は断熱性のよい材料で形成した構成としてあり、加熱室底部に対する断熱性が加わってより一層の機器底部の温度低下が図れる。
【００１４】
また第５の本発明は、第１〜第４の発明において、加熱室の後壁外方に熱風供給手段を設け、この熱風供給手段からの熱風を加熱室上壁前部の熱風噴出口に案内するダクトを加熱室上壁外方の一側部寄りに設けるとともに高周波発生手段からのマイクロ波を加熱室内に導く導波管を加熱室の上壁略中央部に設けてマイクロ波を加熱室の上壁から放射する構成としてあり、加熱室内の被加熱物に向かって効率よくマイクロ波を放射することが可能となり、より短時間で被加熱物を加熱することができる。
【００１５】
第６の発明は、第４の発明において、ダクトにダクトヒータを設け、熱風供給手段と加熱室を循環する熱風を前記ダクトヒータと輻射加熱ヒータとで高温に加熱する構成としてあり、熱風の温度を高温化することができて、より短時間で加熱をすることが可能となる
。
【００１６】
第７の発明は、第１〜第６の発明において、加熱室は上下巾に対し横幅が大きい断面略長方形状に形成するとともに熱風供給手段は前記加熱室の横方向に少なくとも二つの熱風循環用の送風機を配置して大量の熱風を高速で循環可能にした構成としてあり、上下寸法の小さい加熱調理機であっても大量の熱風を供給することが可能となり、より短時間で被加熱物を加熱することができる。
【００１７】
第８の発明は、第１〜第７の発明において、加熱室と熱風供給手段は気密構成として、加熱室と熱風供給手段とを循環する熱風を外部に放出することなく循環させる構成としてあり、循環熱風に温度の低い外気が混入することがないので熱風温度を高いものに維持でき、より短時間に被加熱物を加熱することができる。
【００１８】
以下本発明の実施の形態を図面とともに説明する。なお、この実施の形態によって本発明が限定されるものではない。
【００１９】
（実施の形態１）
図１〜図６において、１は加熱調理装置の本体、２は本体内に設けた加熱室で、上下巾に対し横幅が大きい断面略長方形状となっており、前面の開口３は本体下部に回動自在に枢支した扉４によって開閉自在となっている。５は上記加熱室２の上壁前部に設けた熱風噴出口で、多数の孔からなり、加熱室２の横幅全域にわたって帯状に設けてある。この熱風噴出口５を設けた加熱室前部上壁は図３から明らかなように後方に向かって下り勾配に形成した面に設けた第一熱風噴出口５ａと略水平方向に形成した面に設けた第二熱風噴出口５ｂとからなり、前記第一熱風噴出口５ａからの熱風は被調理物８に向かって斜めに下向き吹き付けるとともに、第二熱風噴出口５ｂからの熱風は略垂直下方向きに噴出する構成としてある。なお、前記第二熱風噴出口５ｂ総開口面積は前記第一熱風噴出口５ａの略７分の１以下に設定してある。７は前記加熱室２の後壁下部に設けた熱風吸込口で、多数の孔を加熱室２の横幅に沿って設けることにより構成してあり、１０は前記加熱室２の後壁に設けた熱風供給手段で、加熱室２内の空気を熱風吸込口７より吸い込んで前記第一、第二熱風噴出口５、６より加熱室２内に循環させる送風機１１と、送風機１１からの空気を加熱する加熱器１２からなる。前記送風機１１は図６から明らかなように加熱室２の横方向に二つ独立して設けるとともに、これら二つの送風機１１のファンケース１２を送風機ケース１３で覆うように当該送風機ケース１３に取り付けてユニット化してある。そしてこの送風機ケース１３の上面適所に前記各送風機ケース１３の送風口（図示せず）からの空気を合流させる合流ダクト１４（図３参照）を介してダクト１５が取り付けてあり、このダクト１５の端部開口１５ａは第二ダクト１６を介して前記加熱室上壁前部の横幅全域にわたって設けた熱風噴出口５に連通させてある。更に前記加熱室下部の熱風吸込口７のガイド筒７ａは前記送風機ケース１３内で開口しており、前記送風機１１からの空気は、合流ダクト１４、ダクト１５、第二ダクト１６を介して第一・第二熱風噴出口５ａ、５ｂから加熱室２に、加熱室２内の空気は熱風吸込口７、ガイド筒７ａを介して送風機１１に吸い込まれる循環流を形成することになる。
【００２０】
また、加熱器１２は前記ダクト１５内に設けて有り、ダクト１５の一側部に設けた加熱器用開口１５ｂ（図６参照）より組み込んである。この加熱器１２は図４に示すようにヒータ保持枠１７内に碍子１７ａを介して略Ｕ字状のダクトヒータ１８を組み込んでユニット化してあり、加熱器取付板１９を前記ダクト１５側面にビス止めして固定してある。なお、図中１９ａはシーズヒータ挿入孔、２０は送風機１１のモータである。
【００２１】
２１は前記加熱室２内に設けた被加熱物載置部材で、加熱室の両側に上下二段に設けたセラミック等の支持部材２２のひとつに引き出し自在に設けてある。この被加熱物載置部
材２１は被加熱物８を載せるもので、図４に示すように前記熱風吸込口７の位置より上部に位置するようになっており、多数の金属線で構成して被加熱物８を加熱した熱風が前記熱風吸込口７へと流れる（通過できる）ように構成してある。２４は前記被加熱物載置部材２１の下方に位置する如く加熱室底部に設けた輻射加熱ヒータで、シーズヒータを略Ｕ字状に屈曲させて形成してある。
【００２２】
２５は上記輻射加熱ヒータ２４の直下であって加熱室底板との間に配置した熱風ガイド板で、加熱室２の下部を熱風ガイド板２５によって区切っており、断熱性の高い材料で構成するとともに、その上面、すなわちの被加熱物８側の面は高反射処理を施してある。この熱風ガイド板２５は、前記被加熱物８の上面を加熱して下方に回り込む第一熱風噴出口５ａからの熱風とともに、前記第二熱風噴出口５ｂから略垂直下方向に噴出された熱風を熱風吸込口７へと案内するものである。すなわち、前記第一熱風噴出口５ａらの熱風は被加熱物上面に当たってこれを加熱した後、被加熱物の周りを回りこんで熱風ガイド板２５により熱風吸込口７に向かって流れるとともに、前記第二熱風噴出口５ｂから略垂直下方向に噴出された熱風はそのすべてが前記被加熱物載置部材２１を通過して熱風ガイド板２５に衝突した後、熱風ガイド板２５に沿って当該熱風ガイド板２５と被加熱物８下面との間を介し熱風吸込み口へと流れていく。その際前記輻射加熱ヒータ２４は被加熱物８を輻射加熱するとともに熱風を再加熱することになる。
【００２３】
２７は前記加熱室２にマイクロ波を供給する高周波発生手段となるマグネトロンで、加熱室２側部の機械室２８に二つ設けてある。この機械室２７には上記マグネトロン２７のほかに高圧トランス２９、これらの部品を冷却する冷却ファン（図示せず）や上記各部品を制御する制御部（図示せず）等が設けてあり、その機械室前部に対向する本体１の側部前面には運転オン／オフや各種調理を指示したりその状態を表示する操作部（図示せず）が設けてある。３０は前記各マグネトロン２７のアンテナ３１から放射されるマイクロ波を加熱室に案内するための導波管で、前記加熱室２の上壁略中央部に各マグネトロン２７に対応して二つ受けてある。３２は前記導波管３０からのマイクロ波を加熱室２内に放射する回転アンテナで、各導波管３０に連通させた一つの共通マイクロ波放射室３３の略中央部にひとつ設けてあり、その回転駆動用モータ（図示せず）はモータ冷却ダクト３４内に設けてある。３５は前記共通マイクロ波放射室３３の下部開口に設けた天井板で、マイクロ波が透過可能なセラミック等で形成してある。
【００２４】
３６は前記熱風循環用送風機１１のファン軸に設けた冷却用ファンで、本体１と加熱室２及び送風機ケース１３との間及び機械室２８を冷却するものである。この冷却ファン３６は本体１背面に設けた吸気口３７から外気を吸引してその外気を本体１と加熱室２及び送風機ケース１３との間及び機械室２８に流して本体１を冷却するとともに本体冷却後の熱気を本体背面上部片隅に設けた排気口３８から外部へと排気するようになっている。
【００２５】
次に、上記構成における加熱調理機の動作について説明する。
【００２６】
使用者が例えば冷凍ピザを設定して運転スイッチをオンすると、制御部はマグネトロン２７、熱風供給手段１０、輻射加熱ヒータ９等への通電を開始しこれらを予め定めたシーケンスにしたがって制御する。
【００２７】
熱風供給手段１０はその送風機１１が回転を始めるとともに加熱器１２のダクトヒータ１８が発熱し、更に加熱室２の輻射加熱ヒータ９も発熱する。そして冷凍ピザのように被加熱物が冷凍物の場合は各マグネトロン２７が発振を開始してマイクロ波を放射し、このマイクロ波は導波管３０に案内されてマイクロ波放射室３３に至り、回転アンテナ３２の回転によりマイクロ波が加熱室２内の全域にほぼ均一に放射され、被加熱物８を内部から加熱する。
【００２８】
上記熱風供給手段１０は送風機１１からの空気を合流ダクト１４、ダクト１５、第二ダクト１６を介して第一・第二熱風噴出口５ａ、５ｂから加熱室２に噴出する。その際この送風機１１からの空気流はダクト１５内の加熱器１２によって高温に加熱されて熱風となり、加熱室２内の被加熱物８の上面を加熱する。
【００２９】
ここで、上記被加熱物８を加熱する熱風はその大半が加熱室２の上壁前部に設けた第一熱風噴出口５ａから被加熱物８に向かって斜めに噴出され、しかも熱風吸込口７が加熱室２の後下部に設けてあるから、被加熱物８に接する時には第一熱風噴出口５を構成する各孔からの熱風は被加熱物８の前から後側に向かって長く伸びることになる。そしてこの各孔が加熱室２の横幅全域にわたって帯状に設けてあるから被加熱物の全域に渡って長く伸び、被加熱物を包み込むようにこれを加熱することになる。
【００３０】
そして、前記被加熱物８の上面を加熱した熱風は被加熱物８のまわりの被加熱物載置部材２１を通過して熱風ガイド板２５に当たり、被加熱物８の下面に沿ってこの被加熱物下面を加熱しつつ加熱室下部の熱風吸込口７から送風機１１へと吸引され、加熱室２と熱風供給手段１０とを循環することになる。その際加熱室下部の熱風吸込口７から送風機１１へと吸引される熱風は加熱室底部の輻射加熱ヒータ２４によって再加熱され、更に高温の循環熱風となる。
【００３１】
一方、熱風の一部は第二熱風噴出口５ｂから略垂直下方に噴出し、そのすべてが被加熱物載置部材２１を通過して熱風ガイド板２５に衝突した後、熱風ガイド板２５に沿って当該熱風ガイド板２５と被加熱物８下面との間を介し輻射加熱ヒータ２４に再加熱されながら熱風吸込口７へと流れていく。したがって、被加熱物の下面は第二熱風噴出口５ｂからの熱風と輻射ヒータ２４からの輻射熱とともに加熱することになる。
【００３２】
このとき前記熱風は輻射ヒータ２４によって再加熱され更に温度上昇して被加熱物８の下面全域を輻射ヒータ２４からの輻射熱とともに加熱することになる。したがって前記第一熱風噴出口５ａからの熱風が前記被加熱物８の上面を加熱して若干の温度低下を起こしていてその分加熱力が弱かったり、或は被加熱物の下面に回りこむ両が少なくなって加熱力が弱かったりしても、前記第二熱風噴出口５ｂからの熱風が高温のまま、かつ、輻射ヒータで再加熱されて、被加熱物の下面を加熱するから、当該被加熱物の下面を短時間で確実に加熱することができる。また、熱風であるがゆえに被加熱物の下面もムラなく均一に加熱することができる。
【００３３】
また、前記第一、第二熱風噴出口５ａ、５ｂから噴出する熱風は１０〜１２ｍ／ｓｅｃと従来例で説明した熱風吹き付けタイプの熱風流速１６ｍ／ｓｅｃに比べ若干弱く設定してあり、熱風が斜めに当たることと相まって被加熱物８の上面には密度の濃い熱風層が形成され、被加熱物８はそのほぼ全域が均一に加熱されることになる。すなわち、従来例のように熱風が被加熱物に直交状態で当たると熱風の一部は被加熱物に当たって上向きに反転し、温度の高い熱風の横方向の広がりが薄いものとなるが、本実施の形態のように熱風が被加熱物に斜めに当たると熱風の上向きの斑点はなくなってそのすべてが被加熱物の上面に沿って広がるようになり、温度の高い熱風層が密度濃く形成され、被加熱物がこの密度の濃いい熱風層に包み込まれるようになって、被加熱物８のほぼ全域がほぼ均一に加熱されるとともに焦げ目等にムラの少ない加熱が可能となる。
【００３４】
また、熱風を供給する送風機１１は加熱室２の横長形状に沿って横方向に二つ設けたから、一つの送風機１１で構成する場合に比べその風量を大きくすることができる。すなわち、送風機１１のファン径は横長加熱室の場合は加熱室の幅の狭い上下寸法で規制される。したがって、送風機１１のファン径は比較的小さなものを選択せざるを得ず、その風量
は必然的に小さなものとなってなってしまうが、この実施の形態では加熱室２を横長寸法にして加熱室の上下寸法程度のファン径を持つ送風機１１を左右二つ設ける構成としてあるから、その分風量を増加させることができる。したがって、熱風の流速が遅い分を熱風量の増加で補うことができ、被加熱物８に加える熱量を従来のものに比べ同等かそれ以上とすることができ、より短時間の加熱が可能となる。もちろんこの場合、送風機１１からの風を加熱する熱量を従来のものと同様とした場合の比較であり、この実施の形態の場合、加熱室底部の輻射加熱ヒータ２４は１５００Ｗのシーズヒータを２本、ダクトヒータ１８は２９００ＷのＵ字状のシーズヒータ１本としてある。
【００３５】
更に前記加熱室２および熱風供給手段１０とこれらを結ぶダクト１５等の循環経路は気密構成として、加熱室２と熱風供給手段１０内の空気のみが循環する構成としてあり、よって外部から一部外気を取り込み熱風の一部を外部に排出しながら熱風循環させるものに比べより高温の熱風を循環することができる。
【００３６】
一方、各マグネトロン２７からのマイクロ波は二本の導波管３０に案内されて一つのマイクロ波放射室３３に集められ、加熱室２の天井部をほぼ覆う大きさの回転アンテナ３２より加熱室２内に放射するから、強力かつほぼ均一に被加熱物８をマイクロ波加熱することができる。この実施の形態では回転アンテナ３２をひとつで構成したが、径の異なる二枚の回転アンテナとしたり、電波指向性の強いアンテナとしてその回転を任意の場所に向けて停止させたり回転させ続けたりして、より均一に加熱するようにすることが可能である。
【００３７】
以上のような動作の相乗効果によってこの加熱調理機では極めて短時間に被加熱物８を加熱調理することができる。例えば食パン６枚の加熱は７５秒程度、パンを切り開いた上にチーズを乗せたハンバーガ形式のもの１個の加熱は４０秒程度で加熱を完了し、従来の家庭用オーブンレンジに比べ大幅な短時間調理が可能になったとともに、食パン６枚の加熱は６枚ともほぼ均一な焦げ目付けができていた。
【産業上の利用可能性】
【００３８】
以上のように本発明の加熱調理機は、熱風ガイド板で案内され輻射ヒータで再加熱される熱風と輻射ヒータで被加熱物の下面を加熱するから、被加熱物の上面を加熱して温度低下した熱風であっても被加熱物の下面を効率よく加熱することができ、熱風噴出口を加熱室上部に設けただけの簡単な構成であっても被加熱物上下両面を短時間で加熱することができる。しか熱風噴出口は加熱質の上部だけでよく構成の簡素化が図れるとともに、熱風ガイド板の遮熱作用によって加熱調理機の底面温度を低く維持できるから、機器設置床面を熱劣化させることなく安心して使用できるものとすることができる。
【図面の簡単な説明】
【００３９】
【図１】本発明の実施の形態１における加熱調理機の外観斜視図
【図２】同扉を開けたときの外観斜視図
【図３】同扉を開けたときの断面図
【図４】同正面から見た断面図
【図５】同本体の興体を外したときの外観斜視図
【図６】同要部の分解斜視図
【符号の説明】
【００４０】
１  本体
２  加熱室
４  扉
５  第一熱風噴出口
６  第二熱風噴出口
７  熱風吸込口
１０  熱風供給手段
１２  加熱器
１５  ダクト
２４  輻射加熱ヒータ
２７  マグネトロン（高周波発生手段）
３０  導波管
【図１】
0005119881.tif 000002
【図２】
0005119881.tif 000003
【図３】
0005119881.tif 000004
【図４】
0005119881.tif 000005
【図５】
0005119881.tif 000006
【図６】
0005119881.tif 000007